【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
液体を貯留する少なくとも２つ以上の液体貯留室を有する液体貯留部と、
前記液体貯留室の各々の内部に形成された気室と連通する連結部材と、
前記連結部材と連通し、前記液体貯留室の各々の内部圧力を調整する圧力調整手段と、
前記液体貯留室の各々に設けられ、前記液体を前記液体貯留室に流入する一方向弁を有する一端側が前記液体貯留室の前記液体に浸された流入管と、
前記液体貯留室の各々に設けられ、前記液体を前記液体貯留室から流出する一方向弁を有する一端側が前記液体貯留室の前記液体に浸された流出管と、を備え、
前記圧力調整手段が前記液体貯留室の各々に対して加圧した時、前記液体貯留室から前記液体が前記流出管を介して流出し、前記圧力調整手段が前記液体貯留室の各々に対して減圧した時、前記前記液体貯留室に前記液体が前記流入管を介して流入する、ことを特徴とする液体ポンプ。
【請求項２】
前記流入管の前記一端側、又は前記流出管の前記一端側の少なくとも一方に設けられ、前記液体貯留室に貯留された前記液体の液面に応じて、前記液体貯留室に流入する前記液体の量、又は前記液体貯留室から流出する前記液体の量の少なくとも一方を調整する液面調整機構をさらに備えることを特徴とする請求項１に記載の液体ポンプ。
【請求項３】
前記流入管の前記一端側に設けられ、前記液体貯留室に貯留された前記液体の液面に応じて前記液体貯留室に流入する前記液体の量を調整する液面調整機構をさらに備えることを特徴とする請求項１に記載の液体ポンプ。
【請求項４】
前記液面調整機構は、
前記流入管の前記一端側の下端部を閉塞すると共に側面に形成された開口と、
前記流入管の前記一端側に摺動可能に嵌合され液面追従部材と、で構成され、
前記液面追従部材は、前記液体貯留室に貯留された前記液面の高さに追従して移動し、前記開口の開口面積を可変させることを特徴とする請求項３に記載の液体ポンプ。
【請求項５】
前記液体貯留室に貯留された前記液体が増加した際、前記液面追従部材が前記開口の前記開口面積を小にし、前記液体貯留室に貯留された前記液体が減少した際、前記液面追従部材が前記開口の前記開口面積を大にして、前記液体貯留室に流入する前記液体の量を調整することを特徴とする請求項４に記載の液体ポンプ。
【請求項６】
前記流出管の前記一端側に設けられ、前記液体貯留室に貯留された前記液体の液面に応じて前記液体貯留室から流出する前記液体の量を調整する液面調整機構をさらに備えることを特徴とする請求項１に記載の液体ポンプ。
【請求項７】
前記液面調整機構は、
前記流出管の前記一端側の下端部を閉塞すると共に側面に形成された開口と、
前記流出管の前記一端側に摺動可能に嵌合され液面追従部材と、で構成され、
前記液面追従部材は、前記液体貯留室に貯留された前記液面の高さに追従して移動し、前記開口の開口面積を可変させることを特徴とする請求項６に記載の液体ポンプ。
【請求項８】
前記液体貯留室に貯留された前記液体が増加した際、前記液面追従部材が前記開口の前記開口面積を大にし、前記液体貯留室に貯留された前記液体が減少した際、前記液面追従部材が前記開口の前記開口面積を小にして、前記液体貯留室から流出する前記液体の量を調整することを特徴とする請求項７に記載の液体ポンプ。
【請求項９】
前記圧力調整手段は、一つの駆動源により前記液体貯留室の各々の内部圧力を調整することを特徴とする請求項１に記載の液体ポンプ。
【請求項１０】
液体を貯留する少なくとも２つ以上の液体貯留室を有する液体貯留部と、
前記液体貯蔵部の少なくとも１つ以上の液体貯留室に設けられ、前記液体貯留室に貯留された前記液体の液面高さを検出する液面検出手段と、
前記液体貯留部を大気開放する大気開放手段と、
前記液体貯留室の各々の内部に形成された気室と連通する連結部材と、
前記連結部材と連通し、前記液体貯留室の各々に対して加圧、又は減圧する圧力調整手段と、
前記圧力調整手段が前記液体貯留室の各々を加圧している、又は減圧しているかを検出する圧力検出手段と、
前記液体貯留室の各々に設けられ、前記液体を前記液体貯留室に流入する一方向弁を有する一端側が前記液体貯留室の前記液体に浸された流入管と、
前記液体貯留室の各々に設けられ、前記液体を前記液体貯留室から流出する一方向弁を有する一端側が前記液体貯留室の前記液体に浸された流出管と、
前記液面検出手段及び前記圧力検出手段の検知信号に基づいて前記大気開放手段を制御するコントロール手段と、を備え、
前記圧力調整手段が前記液体貯留室の各々に対して加圧した時、前記液体貯留室から前記液体が前記流出管を介して流出し、前記圧力調整手段が前記液体貯留室の各々に対して減圧した時、前記前記液体貯留室に前記液体が前記流入管を介して流入し、
前記コントロール手段は、前記液面検出手段が前記液体貯留室に貯留された前記液面の高さが所定以上に上がったことを検知した際、前記圧力検出手段により前記圧力調整手段が前記液体貯留室の各々を減圧したことを検出したタイミングで前記大気開放手段を開放させ、前記圧力検出手段により前記圧力調整手段が前記液体貯留室の各々を加圧したことを検出したタイミングで前記大気開放手段を閉じ、前記液面検出手段が前記液体貯留室に貯留された前記液面の高さが所定以下まで下がったことを検知した際、前記圧力検出手段により前記圧力調整手段が前記液体貯留室の各々を加圧したことを検出したタイミングで前記大気開放手段を開放させ、前記圧力検出手段により前記圧力調整手段が前記液体貯留室の各々を減圧したことを検出タイミングで前記大気開放手段を閉じる、ことを特徴とする液体ポンプ。
【請求項１１】
前記液面検出手段は、透明な部材と赤外光を使用した透過センサとを使用して、直接液面高さを検知することを特徴とした請求項１０に記載の液体ポンプ
【請求項１２】
前記液面検出手段は、赤色系以外の液体を貯留する液体貯留室に設置されることを特徴とする請求項１１に記載の液体ポンプ。
【請求項１３】
請求項１乃至請求項１０のいずれか１項に記載の液体ポンプを備えるインクジェットプリンタ。
【請求項１４】
請求項１１乃至請求項１３のいずれか１項に記載の液体ポンプを備えるインクジェットプリンタ。
【手続補正２】
【補正対象書類名】明細書
【補正対象項目名】００１４
【補正方法】変更
【補正の内容】
【００１４】
そこで本発明は、上記の課題を解決するために、複数の液体を同時に送液することが可能な長寿命の液体ポンプ及びこれを備えたインクジェットプリンタを提供することを目的とする。
【手続補正３】
【補正対象書類名】明細書
【補正対象項目名】００１５
【補正方法】変更
【補正の内容】
【００１５】
上記目的を達成するために、本発明の液体ポンプは、液体を貯留する少なくとも２つ以上の液体貯留室を有する液体貯留部と、前記液体貯留室の各々の内部に形成された気室と連通する連結部材と、前記連結部材と連通し、前記液体貯留室の各々の内部圧力を調整する圧力調整手段と、前記液体貯留室の各々に設けられ、前記液体を前記液体貯留室に流入する一方向弁を有する一端側が前記液体貯留室の前記液体に浸された流入管と、前記液体貯留室の各々に設けられ、前記液体を前記液体貯留室から流出する一方向弁を有する一端側が前記液体貯留室の前記液体に浸された流出管と、を備え、前記圧力調整手段が前記液体貯留室の各々に対して加圧した時、前記液体貯留室から前記液体が前記流出管を介して流出し、前記圧力調整手段が前記液体貯留室の各々に対して減圧した時、前記前記液体貯留室に前記液体が前記流入管を介して流入する、ことを特徴とする。
【手続補正４】
【補正対象書類名】明細書
【補正対象項目名】００１６
【補正方法】変更
【補正の内容】
【００１６】
また、本発明のインクジェットプリンタは、上記の液体ポンプを備えていることを特徴とする。
【手続補正５】
【補正対象書類名】明細書
【補正対象項目名】００１７
【補正方法】変更
【補正の内容】
【００１７】
さらに、本発明の液体ポンプは、液体を貯留する少なくとも２つ以上の液体貯留室を有する液体貯留部と、前記液体貯蔵部の少なくとも１つ以上の液体貯留室に設けられ、前記液体貯留室に貯留された前記液体の液面高さを検出する液面検出手段と、前記液体貯留部を大気開放する大気開放手段と、前記液体貯留室の各々の内部に形成された気室と連通する連結部材と、前記連結部材と連通し、前記液体貯留室の各々に対して加圧、又は減圧する圧力調整手段と、前記圧力調整手段が前記液体貯留室の各々を加圧している、又は減圧しているかを検出する圧力検出手段と、前記液体貯留室の各々に設けられ、前記液体を前記液体貯留室に流入する一方向弁を有する一端側が前記液体貯留室の前記液体に浸された流入管と、前記液体貯留室の各々に設けられ、前記液体を前記液体貯留室から流出する一方向弁を有する一端側が前記液体貯留室の前記液体に浸された流出管と、前記液面検出手段及び前記圧力検出手段の検知信号に基づいて前記大気開放手段を制御するコントロール手段と、を備え、前記圧力調整手段が前記液体貯留室の各々に対して加圧した時、前記液体貯留室から前記液体が前記流出管を介して流出し、前記圧力調整手段が前記液体貯留室の各々に対して減圧した時、前記前記液体貯留室に前記液体が前記流入管を介して流入し、
前記コントロール手段は、前記液面検出手段が前記液体貯留室に貯留された前記液面の高さが所定以上に上がったことを検知した際、前記圧力検出手段により前記圧力調整手段が前記液体貯留室の各々を減圧したことを検出したタイミングで前記大気開放手段を開放させ、前記圧力検出手段により前記圧力調整手段が前記液体貯留室の各々を加圧したことを検出したタイミングで前記大気開放手段を閉じ、前記液面検出手段が前記液体貯留室に貯留された前記液面の高さが所定以下まで下がったことを検知した際、前記圧力検出手段により前記圧力調整手段が前記液体貯留室の各々を加圧したことを検出したタイミングで前記大気開放手段を開放させ、前記圧力検出手段により前記圧力調整手段が前記液体貯留室の各々を減圧したことを検出タイミングで前記大気開放手段を閉じる、ことを特徴とする。
【手続補正６】
【補正対象書類名】明細書
【補正対象項目名】００１８
【補正方法】変更
【補正の内容】
【００１８】
また、本発明のインクジェットプリンタは、上記の液体ポンプを備えていることを特徴とする。
【手続補正７】
【補正対象書類名】明細書
【補正対象項目名】００１９
【補正方法】変更
【補正の内容】
【００１９】
そこで本発明は、上記の課題を解決するために、複数の液体を同時に送液することが可能な長寿命の液体ポンプ及びこれを備えたインクジェットプリンタを提供することを目的とする。